(57)【要約】【課題】ダストカップ内に溜まった塵埃類を廃棄する作業に際して、塵埃類の飛散を防止しうる機構を備えた集塵装置を提供する。【解決手段】本発明の集塵装置１は、適宜の通気路に接続されて旋回流の遠心力により空気中の塵埃類を分離するサイクロンドラム２と、該サイクロンドラム２の下部に着脱自在に連結されて分離された塵埃類を貯留するダストカップ４と、を備える。サイクロンドラム２の下部とダストカップ４の上部とによって連結部が構成され、ダストカップ４をサイクロンドラム２から取り外したときに塵埃類の飛散を防止するシャッタ機構が上記連結部に設けられる。【選択図】図２
2008272675.tif 000002
【特許請求の範囲】
【請求項１】
適宜の通気路に接続されて旋回流の遠心力により空気中の塵埃類を分離するサイクロンドラムと、該サイクロンドラムの下部に着脱自在に連結されて分離された塵埃類を貯留するダストカップと、を備えてなる集塵装置において、
サイクロンドラムの下部とダストカップの上部とによって連結部が構成され、ダストカップをサイクロンドラムから取り外したときに塵埃類の飛散を防止するシャッタ機構が上記連結部に設けられたことを特徴とする集塵装置。
【請求項２】
シャッタ機構は、連結部を手動操作によって連通状態または閉鎖状態に切り換えるものであることを特徴とする請求項１に記載の集塵装置。
【請求項３】
シャッタ機構は、ダストカップがサイクロンドラムに連結された状態では連結部を連通させ、ダストカップがサイクロンドラムから取り外されると連結部を閉鎖するものであることを特徴とする請求項１または２に記載の集塵装置。
【請求項４】
シャッタ機構は、連結部におけるサイクロンドラム側の開口に開閉可能に取り付けられたドラム側の蓋体を具備することを特徴とする請求項１、２または３に記載の集塵装置。
【請求項５】
シャッタ機構は、連結部におけるダストカップ側の開口に開閉可能に取り付けられたカップ側の蓋体を具備することを特徴とする請求項１、２または３に記載の集塵装置。
【請求項６】
シャッタ機構は、連結部におけるサイクロンドラム側の開口に開閉可能に取り付けられたドラム側の蓋体と、ダストカップ側の開口に開閉可能に設けられたカップ側の蓋体とを具備することを特徴とする請求項１、２または３に記載の集塵装置。
【請求項７】
ダストカップをサイクロンドラムに取り付ける操作によって、ドラム側の蓋体とカップ側の蓋体とが互いに係合し、連動して連結部を開閉することを特徴とする請求項６に記載の集塵装置。
【請求項８】
連結部は略円筒状をなし、その軸回りにダストカップを略半回転させることにより、ダストカップがサイクロンドラムに対し螺合または離脱するように形成されたことを特徴とする請求項６または７に記載の集塵装置。
【請求項９】
ドラム側の蓋体は、サイクロンドラム側に固定されるドラム側の固定枠蓋と、該固定枠蓋に対して軸回りに回動するドラム側の可動蓋板とを有し、上記固定枠蓋に形成された略半円形の開口部が可動蓋板の回動によって開閉されるように構成されるとともに、
カップ側の蓋体は、ダストカップ側に固定されるカップ側の固定枠蓋と、該固定枠蓋に対して軸回りに回動するカップ側の可動蓋板とを有し、上記固定枠蓋に形成された略半円形の開口部が可動蓋板の回動によって開閉されるように構成されたことを特徴とする請求項６、７または８に記載の集塵装置。
【発明の詳細な説明】
【技術分野】
【０００１】
本発明は、旋回流の遠心力を利用して空気中の塵埃類を分離・貯留する集塵装置に関する。
【背景技術】
【０００２】
近年、住宅の高気密・高断熱化に伴って、計画換気（機械換気）の重要性が増大している。計画換気においては、住宅内全体での空気の流れを明確にし、清浄な外気を適切に取り入れる一方、汚れやすい空間の空気を効率的に排出することが重要とされる。
【０００３】
この種の計画換気に採用される換気システムの構成としては、例えば特許文献１、２等に開示されているように、各階の天井部分に、強制的に空気の流れを形成する換気ユニットを設置し、天井裏に配設した外気吸入管路を通じて戸外の新鮮な空気を換気ユニットに取り込み、換気ユニットから各室内に新鮮な空気を供給する一方、各室内の汚れた空気を回収し、回収した空気と戸外から取り込んだ空気との間で熱交換を行った後、回収した空気を戸外に排出するというものが代表的である。
【０００４】
かかる換気システムにおいては、外気中の塵埃、黄砂、花粉、昆虫などの微細な浮遊物が、外気吸入管路を通じて換気ユニットに取り込まれる。そのため、通常は、これらの浮遊物を、換気ユニットに取り付けられたフィルターにより除去している。しかし、空気の通路に設置されるフィルターは、圧力損失を生じて換気効率を低下させる。また、浮遊物によってフィルターが短期間に目詰まりすることを避けられないので、フィルターの清掃や交換などのメンテナンスを怠ると、さらに換気効率が悪化してしまう。
【０００５】
そこで、例えば特許文献３、４等に開示されているように、換気システムの上流側（外気吸入側）に、旋回流の遠心力を利用して浮遊物を除去する、いわゆるサイクロン式の集塵装置を設けて、フィルターのメンテナンスに要する負担を軽減することが考えられる。
【特許文献１】特開平１０−１６０２２６号公報
【特許文献２】特開２００２−９８３８１号公報
【特許文献３】特開昭５８−９２７３９号公報
【特許文献４】特開２０００−１４６２５１号公報
【発明の開示】
【発明が解決しようとする課題】
【０００６】
上記特許文献３、４等に開示されたようなサイクロン式の集塵装置は、旋回流を生じさせるサイクロンドラムの下部に、分離された塵埃類を落下せしめて貯留するダストカップを着脱可能または引出し可能に設けるのが一般的である。そして、ダストカップ内に一定量の塵埃類が溜まると、これを取り外して、溜まった塵埃類を廃棄するように構成される。
【０００７】
かかるサイクロン式の集塵装置を住宅の建物内に設置した場合、ダストカップをサイクロンドラムから取り外したときに、ダストカップ内に溜まった塵埃類が舞い上がって、室内に飛散するおそれがある。また、サイクロンドラムの内側に付着している塵埃類も、ダストカップを取り外したときに、その連結部分から空気中に飛散するおそれがある。
【０００８】
そこで、本発明は、ダストカップ内に溜まった塵埃類を廃棄する作業に際して、塵埃類の飛散を防止しうる機構を備えた集塵装置を提供するものである。
【課題を解決するための手段】
【０００９】
上記した目的を達成するため、本発明の集塵装置は、適宜の通気路に接続されて旋回流の遠心力により空気中の塵埃類を分離するサイクロンドラムと、該サイクロンドラムの下部に着脱自在に連結されて分離された塵埃類を貯留するダストカップと、を備えてなる集塵装置において、サイクロンドラムの下部とダストカップの上部とによって連結部が構成され、ダストカップをサイクロンドラムから取り外したときに塵埃類の飛散を防止するシャッタ機構が上記連結部に設けられたことを特徴とする。この構成により、ダストカップ内に溜まった塵埃類を捨てる際に、ダストカップ内の塵埃類やサイクロンドラム内の付着物が空気中に飛散するのを防止することができる。
【００１０】
上記シャッタ機構は、連結部を手動操作によって連通状態または閉鎖状態に切り換えるように構成することができ、あるいはまた、ダストカップがサイクロンドラムに連結された状態では連結部を連通させ、ダストカップがサイクロンドラムから取り外されると連結部を閉鎖するように構成することもできる。これらの構成により、集塵装置の運転中は連結部を連通させ、必要な場合、つまりダストカップを取り外すときにのみ連結部を閉鎖することができる。
【００１１】
上記シャッタ機構の具体的な構成としては、連結部におけるサイクロンドラム側の開口に開閉可能に取り付けられたドラム側の蓋体を具備すること、または、連結部におけるダストカップ側の開口に開閉可能に取り付けられたカップ側の蓋体を具備することを特徴とする。
【００１２】
さらには、上記両方の蓋体を兼備するものとすることもできる。その場合、ダストカップをサイクロンドラムに取り付ける操作によって、ドラム側の蓋体とカップ側の蓋体とが互いに係合し、連動して連結部を開閉するように構成することもできる。
【００１３】
上記した連結部の構造は、連結部を略円筒状となし、その軸回りにダストカップを略半回転させることにより、ダストカップがサイクロンドラムに対し螺合または離脱するように形成することによって実現される。
【００１４】
より詳細には、ドラム側の蓋体が、サイクロンドラム側に固定されるドラム側の固定枠蓋と、該固定枠蓋に対して軸回りに回動するドラム側の可動蓋板とを有し、上記固定枠蓋に形成された略半円形の開口部が可動蓋板の回動によって開閉されるように構成されるとともに、カップ側の蓋体が、ダストカップ側に固定されるカップ側の固定枠蓋と、該固定枠蓋に対して軸回りに回動するカップ側の可動蓋板とを有し、上記固定枠蓋に形成された略半円形の開口部が可動蓋板の回動によって開閉されるように構成される。
【発明の効果】
【００１５】
上述のように構成される本発明の集塵装置は、ドラムの下部とダストカップの上部とによって構成される連結部に、塵埃類の飛散を防止するシャッタ機構が設けられたもであるから、ダストカップをサイクロンドラムから取り外して塵埃類を捨てる際に、ダストカップ内の塵埃類やサイクロンドラム内の付着物が、連結部の開口箇所から空気中に飛散するのを好適に防止することができる。これにより、塵埃類の廃棄作業を快適かつ衛生的に行うことができ、室内環境も清澄に保持される。
【発明を実施するための最良の形態】
【００１６】
以下、本発明の実施の形態について図を参照して説明する。
【００１７】
図１〜図４は、本発明の実施の形態に係る集塵装置の全体的な構成を示す。集塵装置１は、略円筒形状をなすサイクロンドラム２と、その上部に取り付けられたチャンバーボックス３と、サイクロンドラム２の下部に連結されたダストカップ４とを具備する。
【００１８】
サイクロンドラム２は、外筒部２１の内側に内筒部２２を配置し、外筒部２１の外側を外装体２３によって包囲した構造を有している。外筒部２１は、上半部が円筒形状をなし、下半部が逆円錐形状に縮径して、その下端が開口している。外筒部２１の上部側面には、円形断面の吸気口２４が、サイクロンドラム２の中心軸から偏心して周方向に突設され、その内側が外筒部２１の内側空間に連通している。外装体２３は、断熱性材料からなり、外筒部２１の上部及び吸気口２４の周囲を包囲する一対の半割体２３ａ、２３ｂと、それ以下の部分を包囲する円筒体２３ｃとを組み合わせて構成されている。外装体２３の外周面はシート材２５によって被覆されている。外装体２３の側面には、一対の横長スリットが、軸心を挟んで相対する位置に形成されており、外筒部２１の側面に突設された一対の固定片２６が上記スリットを通じて側方に張り出している。
【００１９】
内筒部２２は、円筒形状をなし、その上端及び下端が開口して、外筒部２１の上半部内に同軸状に配置されている。内筒部２２の上端には外方に張り出す鍔部２２１が形成されて、この鍔部２２１が外筒部２１の上端開口を塞いでいる。
【００２０】
チャンバーボックス３は、サイクロンドラム２と略同径の短円筒形状をなし、上面が閉塞されて、内側に略円筒形状の空間が形成されている。チャンバーボックス３の下端面は、サイクロンドラム２の内筒部２２の内径と略同径、またはそれよりもやや大径に開口して、この下端開口がサイクロンドラム２の上端面に被せられることにより、チャンバーボックス３の内側空間と内筒部２２の内側空間とが連通している。また、チャンバーボックス３の側面には、円形断面の排気口３１が、サイクロンドラム２の中心軸から偏心して周方向に突設され、その内側がチャンバーボックス３の内部空間に連通している。チャンバーボックス３の内側空間の有効高さと排気口３１の有効内径とは、略同寸になるように形成されている。
【００２１】
ダストカップ４は、内カップ４１と外カップとの間に断熱のための空気層を設けて二重構造にした略円筒形状の容器で、内部を視認しうる透明樹脂によって形成され、その上端開口をサイクロンドラム２の外筒部２１の下端開口に臨ませるようにして、サイクロンドラム２と同軸状に配置されている。ダストカップ４は、サイクロンドラム２の下部と、ダストカップ４の上部とによって構成される連結部を介して、サイクロンドラム２に対し着脱自在に取り付けられる。連結部の詳細については後述する。
【００２２】
図５〜図６は、上記集塵装置１を住宅の換気システムに組み込んだときの設置形態を示す。例示の住宅は、高気密・高断熱型の２階建て住宅であり、本発明に係る集塵装置１は１階及び２階に設けられて、それぞれ各階に導入される外気中の塵埃類を除去する。
【００２３】
１階にあっては、図示右側の外壁７１に外気取入口７２が設けられて、この外気取入口７２に外気吸入管路７３が接続されている。外気吸入管路７３は、１階の天井裏（１階の天井７４と２階の床７５との間の空間）に沿って、外気取入口７２から真っ直ぐ横向きに配設されている。
【００２４】
集塵装置１は、１階のホールに隣接するパイプスペース７６に設置されている。図６に示すように、集塵装置１は、吸気口２４が突設されたサイクロンドラム２の上部１／４程度を天井裏に突出させ、それ以下の部分を天井７４よりも下方に露出させて、天井７４を貫通した状態で取り付けられる。集塵装置１の固定には、サイクロンドラム２の側方に突設された固定片２６や、サイクロンドラム２の下部に取り付けられたブラケット金具２７等が利用される。サイクロンドラム２の外周に挿装されたリング状部材２８は、天井７４の貫通孔の周囲を塞ぐための化粧パッキンである。そして、外気吸入管路７３が天井７４に沿ってほぼ真っ直ぐに、サイクロンドラム２の吸気口２４に接続される。また、チャンバーボックス３に突設された排気口３１には、清浄気管路７７が接続される。清浄気管路７７は、そのまま天井７４に沿って横方向に延設され、２階床梁７８のウェブを貫通して、ホールの天井７４に設置された換気ユニット８に接続されている。
【００２５】
換気ユニット８は、住宅内での給排気の流れを強制的に発生させる吸気ファン及び排気ファンを内蔵している。吸気ファンの運転によって集塵装置１内に負圧が生じ、外気が、外気吸入管路７３から吸気口２４を通じてサイクロンドラム２内に導入される。サイクロンドラム２内に導入された外気は、図２に示すように、外筒部２１と内筒部２２との間に形成される環状の空間に沿って旋回しつつ下降し、その際の遠心力によって外気中の塵埃、黄砂、花粉、昆虫などの浮遊物が分離される。塵埃類が分離された空気は、外筒部２１の中間付近から内筒部２２の下端開口内へ巻き込まれ、旋回を続けながら内筒部２２内を上昇し、チャンバーボックス３を経由して、排気口３１から清浄気管路７７へと送り出される。サイクロンドラム２内で分離された塵埃類は、外筒部２１の下端開口を経由してダストカップ４内へと落下する。
【００２６】
換気ユニット８は、清浄気管路７７を通じて塵埃類が分離された清浄な空気を取り込み、天井裏に配設された室内給気管路７９を通じて、清浄な空気を１階の各室に分配する。各室内で発生した湿気や臭気等を含む汚れた空気は、各室の出入口に設けられた通気用アンダーカット等を経由してホールに導かれ、換気ユニット８の下面から換気ユニット８に回収される。あるいは、洗面所や浴室など特定空間の天井等に設けられた換気口から、各換気口に接続された室内回収管路（図示せず）等を通じても、換気ユニット８に回収される。回収された空気は、換気ユニット８に内蔵された熱交換装置を介して、集塵装置１を経由した清浄な空気との間で熱交換がなされ、外部排気管路（図示せず）を通じて戸外に排出される。外部排気管路は、外気吸入管路７３と同様に、天井裏に配設されている。
【００２７】
２階についても、外気を集塵装置１に取り込んで浮遊物等を除去した後、換気ユニット８を通じて各室に供給し、さらに、各室内の汚れた空気を換気ユニット８に回収して戸外に排出するという空気の流れは、基本的に１階と同じである。ただし、例示形態にあっては、２階の集塵装置１が外壁７１に近接して配置されている。
【００２８】
このように、集塵装置１の上部を天井裏に突出させる設置形態を採用すれば、天井裏を配管スペースとして好適に利用することができる。集塵装置１の吸気口２４と排気口３１とは、いずれも旋回流の向きに沿って周方向に突設され、かつ、それらが上下に近接しているので、外気吸入管路７３及び清浄気管路７７への接続に要するスペースの高さはダクト径の２本分程度で足りる。また、管路を上下方向に引き廻すためのスペースも特に必要としない。したがって、外気吸入管路７３及び清浄気管路７７のダクト径が１０ｃｍ程度であれば、配管スペースの高さを概ね２０ｃｍ以内に納めることができる。
【００２９】
さらに、例示形態に係る集塵装置１は、チャンバーボックス３がサイクロンドラム２とは別体に形成され、サイクロンドラム２に対してチャンバーボックス３を回動させることにより、吸気口２４と排気口３１の相対的な向きを変更させることができるようになっている。その構造について、図１、図３、図６、図７を参照しつつ説明する。
【００３０】
サイクロンドラム２の上端面には、吸気口２４の天面の一部がわずかに突出して、側面視略円弧状の凸部５１が形成されている。さらに、これと同形状の凸部５１が、軸回りに９０度の間隔で、３カ所に形成されている。一方、チャンバーボックス３の下端面には、上記凸部５１に合致する凹部５２が、軸回りに９０度の間隔で４カ所に形成されている。
【００３１】
また、チャンバーボックス３の下端側面と、サイクロンドラム２の上端側面には、外周の少なくとも一部を突出させたフランジ５３、５４が設けられている。サイクロンドラム２側のフランジ５３は、軸回りに９０度の間隔で４カ所に設けられ、チャンバーボックス３側のフランジ５４は、排気口３１に干渉する位置を除いて３カ所に設けられている。
【００３２】
図７に示すように、吸気口２４に対する排気口３１の向きを９０度刻みで選択して、サイクロンドラム２にチャンバーボックス３を被せると、上記４カ所の凸部５１と凹部５２とが合致して、サイクロンドラム２とチャンバーボックス３とが互いに位置決めされる。同時に、サイクロンドラム２側のフランジ５３とチャンバーボックス３側のフランジ５４とが重なり合う。そして、重なり合ったフランジ５３、５４に、例えば断面略コ字状の接続部材５５を嵌装などして、サイクロンドラム２とチャンバーボックス３とが離脱不能に連結される。このような位置決め手段及び連結手段を採用すれば、サイクロンドラム２の上端開口とチャンバーボックス３の下端開口とを精度良く密着させることができ、内部の空気が漏出するのも防ぐことができる。
【００３３】
こうして、吸気口２４と排気口３１の相対的な向きを変更可能とすれば、外気吸入管路７３や清浄気管路７７との接続も容易になって配管の施工性が向上する。また、住宅の構造や各室の間取りに合わせて最適の配管経路を選択しやすくなるので、換気システム全体における圧力損失を低減させて、効率的に集塵及び換気を行うことができる。なお、例示形態は、サイクロンドラム２に対するチャンバーボックス３の向きを９０度刻みで回動可能に構成したものであるが、回動間隔は、例えば６０度や４５度とすることも、もちろん可能である。
【００３４】
上述のように、天井４を貫通させて集塵装置１を設置し、外気吸入管路７３や清浄気管路７７を天井裏に配設することにより、塵埃類を捕集するダストカップ４が、天井４から数十ｃｍ下方、つまり、一般的な住宅にあっては床面から概ね２ｍ前後の高さに保持されることになる。この程度の高さであればダストカップ４に容易に手が届くので、ダストカップ４を取り外して溜まった塵埃類を捨てる作業が楽になる。その結果として、日常的なメンテナンスの頻度も向上する。なお、図６に示すように、例示形態では、室内の美観等に配慮して、パイプスペース７６を区画する間仕切り壁の、ダストカップ４を臨む位置に、開閉式の点検口８１を設けている。
【００３５】
本発明の要部は、ダストカップ４をサイクロンドラム２から取り外したときに、ダストカップ４内に溜まった塵埃類やサイクロンドラム２内に付着した塵埃類が飛散するのを防ぐシャッタ機構を備えている点にある。シャッタ機構は、サイクロンドラム２の下部と、ダストカップ４の上部とによって構成される連結部に設けられている。このシャッタ機構について、図８〜図１４を参照しつつ説明する。
【００３６】
サイクロンドラム２の下部には、スカート部材６１を介して、ドラム側の蓋体６２が取り付けられている。スカート部材６１は、筒状部６１１と鍔状部６１２とを備えた略ハット状の部材で、筒状部６１１の上面中央に形成された円形の開口が外筒部２１の下端開口に接続されている。筒状部６１１の内径は、外筒部２１の下端開口の径よりも大きく形成されている。筒状部６１１の下端は下向きに開口しており、その外側に鍔状部６１２が張り出している。
【００３７】
ドラム側の蓋体６２は、その周部６２１がサイクロンドラム２の下端面全体を塞ぐようにして、スカート部材６１の鍔状部６１２に下側から取り付けられている。周部６２１の下側には、ダストカップ４を着脱するための螺合雌部６２２が形成されている。ドラム側の蓋体６２の中央部分は、周部６２１と一体に形成された固定枠蓋６３を構成している。固定枠蓋６３には、スカート部材６１の下端開口に臨む上面視略半円形の開口部６３１が形成されており、開口していない他半側は、開口部６３１側に向かって下降傾斜する上面視略半円形の斜面部６３２となっている。斜面部６３２は、スカート部材６１の筒状部６１１内に挿入された状態で保持される。
【００３８】
固定枠蓋６３の下側には、固定枠蓋６３の中央に設けられた軸部材を介して、略円形の可動蓋板６４が取り付けられる。可動蓋板６４は、上面視略半円形状をなす閉鎖板６４１の周部に円形のガイドリング６４２を形成した部材で、ガイドリング６４２が固定枠蓋６３の内側に挿装され、閉鎖板６４１が固定枠蓋６３に形成された略半円形の開口部６３１を閉じる位置と、閉鎖板６４１が斜面部６３２の下側に重なって開口部６３１を開く位置との間で、約１８０度回動する。
【００３９】
ダストカップ４は、内カップ４１と外カップ４２とからなる二重構造を有している。内カップ４１は、外カップ４２の内側に回動不能に嵌装されて、内カップ４１と外カップ４２との間には断熱空気層が設けられている。外カップ４２の上端外周部は外側に張り出して、ドラム側の蓋体６２の螺合雌部６２２に対する螺合雄部４２１が形成されている。ダストカップ４を保持して回動させ、カップ側の螺合雄部４２１をドラム側の螺合雌部６２２に螺着させると、内カップ４１の上端開口がドラム側の蓋体６２に臨む位置に保持される。ダストカップ４の着脱に要する回動角度は、約１８０度に設定されている。
【００４０】
内カップ４１の上端には、上記したドラム側の蓋体６２に臨むカップ側の蓋体４３が取り付けられている。カップ側の蓋体４３は、内カップ４１の上端に取り付けられたカップ側の固定枠蓋４４と、該固定枠蓋４４に取り付けられたカップ側の可動蓋板４５とによって構成される。固定枠蓋４４は、上記ドラム側の固定枠蓋６３に形成された開口部６３１と略同形状をなす上面視略半円形の開口部４４１を有している。開口していない他半側は、平板状の閉鎖部４４２となっている。
【００４１】
カップ側の可動蓋板４５は、上記ドラム側の可動蓋板６４と同様に、上面視略半円形状をなす閉鎖板４５１の周部に円形のガイドリング４５２を形成した部材で、ガイドリング４５２が固定枠蓋４４の内側に挿装され、閉鎖板４５１が固定枠蓋４４に形成された略半円形の開口部４４１を閉じる位置と、閉鎖部４４２の下側に重なって開口部４４１を開く位置との間で、約１８０度回動する。
【００４２】
ドラム側の蓋体６２とカップ側の蓋体４３とは、以下に説明する機構により、ダストカップ４を着脱する際の回動動作に連動して同時に開閉する。
【００４３】
すなわち、カップ側の蓋体４３を構成する固定枠蓋４４及び可動蓋板４５には、それぞれ、係合ピン４４３、４５３が上向きに突設されている。また、ドラム側の蓋体６２を構成する固定枠蓋６３及び可動蓋板６４には、それぞれ、上記係合ピン４４３、４５３を挿入可能な筒状の受部６３３、６４３が形成されている。そして、カップ側の固定枠蓋４４の係合ピン４４３は、ドラム側の可動蓋板６４の受部６４３に係合し、カップ側の可動蓋板４５の係合ピン４５３は、ドラム側の固定枠蓋６３の受部６３３に係合する。
【００４４】
ダストカップ４がサイクロンドラム２に連結されているときは、図９、図１１、図１３に示すように、ドラム側の固定枠蓋６３の斜面部６３２の下側に、ドラム側の可動蓋板６４の閉鎖板６４１と、カップ側の固定枠蓋４４の閉鎖部４４２と、カップ側の可動蓋板４５の閉鎖板４５１とが全て重なる。これにより、サイクロンドラム２とダストカップ４との連結部が略半円形状の開口を通じて連通し、サイクロンドラム２内で分離された塵埃類が、斜面部６３２に沿ってダストカップ４内へと集められる。
【００４５】
ダストカップ４をサイクロンドラム２から取り外す際には、ダストカップ４を１８０度回動させる。すると、図１０、図１２、図１４に示すように、カップ側の固定枠蓋４４と、ドラム側の可動蓋板６４とが、ダストカップ４とともに回動して、ドラム側の蓋体６２の開口部６３１を閉じる位置に来る。このとき、ドラム側の固定枠蓋６３に係合しているカップ側の可動蓋板４５は、動かずに、斜面部６３２の下側に停まっている。したがって、カップ側の蓋体４３も、固定枠蓋４４と可動蓋板４５の相対位置が入れ代わって閉じた状態になる。この状態でダストカップ４を下方に離脱させると、ドラム側の蓋体６２、カップ側の蓋体４３のいずれもが閉じた状態で、各係合ピン４４３、４５３が各受部６３３、６４３から抜け出す。
【００４６】
取り外したダストカップ４内の塵埃類は、手動でカップ側の蓋体４３を開いて廃棄する。ダストカップ４をサイクロンドラム２に取り付ける際には、カップ側の蓋体４３を閉じ、カップ側の各係合ピン４４３、４５３を、それぞれドラム側の受部６４３、６３３に合致させた状態でダストカップ４を螺合する。すると、カップ側の固定枠蓋４４と、ドラム側の可動蓋板６４とが、ダストカップ４とともに回動して、ドラム側の蓋体６２の開口部６３１を開く位置に来る。一方、ドラム側の固定枠蓋６３に係合しているカップ側の可動蓋板４５は、動かずに、斜面部６３２の下側に停まっている。したがって、カップ側の蓋体４３も、固定枠蓋４４と可動蓋板４５の相対位置が入れ代わって開いた状態になる。
【００４７】
このような、ドラム側の蓋体６２とカップ側の蓋体４３とからなるシャッタ機構により、ダストカップ４をサイクロンドラム２から取り外す操作に連動して連結部の開口が閉じる。これにより、ダストカップ４内に溜まった塵埃類やサイクロンドラム２の内側に付着している塵埃類が舞い上がって室内に飛散するのを防ぐことができる。また、換気システムの運転中にダストカップ４を取り外したとしても、周囲の空気が連結部に巻き込まれて塵埃類を飛散させるのを防ぐことができる。したがって、換気システムの運転を止めずに、溜まった塵埃類を廃棄することが可能になる。ダストカップ４をサイクロンドラム２に取り付ければ、連結部は自動的に連通するから、操作は極めて簡単である。なお、本発明は、上記実施形態に限らず、基本的な機構を維持した範囲で、細部の構造を適宜変更して実施することは可能である。
【図面の簡単な説明】
【００４８】
【図１】本発明に係る集塵装置の全体的構成を示す外観斜視図である。
【図２】上記集塵装置の内部構造を示す縦断面図である。断面位置は図７（ａ）にＡ−Ａ線で示す。
【図３】上記集塵装置の側面図である。
【図４】上記集塵装置の部材構成を示す分解斜視図である。ただし、一部の部材については、半割状態で表示している。
【図５】上記集塵装置を換気システムに組み込んだ２階建て住宅の断面略図である。
【図６】上記集塵装置と、それに接続される管路の設置形態を示す天井付近の断面図図である。
【図７】上記集塵装置におけるチャンバーボックスの回動形態を示した上面図である。
【図８】上記集塵装置におけるサイクロンドラムとダストカップの連結部の構造を示した分解斜視図である。
【図９】連結状態にある連結部の拡大縦断面図である。
【図１０】離脱状態にある連結部の拡大縦断面図である。
【図１１】連結状態にある連結部を斜め上から見た縦断面斜視図である。
【図１２】離脱状態にある連結部を斜め上から見た縦断面斜視図である。
【図１３】連結状態にある連結部を斜め下から見た縦断面斜視図である。
【図１４】離脱状態にある連結部を斜め下から見た縦断面斜視図である。
【符号の説明】
【００４９】
１  集塵装置
２  サイクロンドラム
２１  外筒部
２２  内筒部
２４  吸気口
３  チャンバーボックス
３１  排気口
４  ダストカップ
４３  カップ側の蓋体
４４  カップ側の固定枠蓋
４４１  開口部
４５  カップ側の可動蓋板
５１  凸部
５２  凹部
５３  フランジ
５４  フランジ
５５  接続部材
６２  ドラム側の蓋体
６３  ドラム側の固定枠蓋
６３１  開口部
６４  ドラム側の可動蓋板
７３  外気吸入管路（通気路）
７７  清浄気管路（通気路）
【図１】
2008272675.tif 000003
【図２】
2008272675.tif 000004
【図３】
2008272675.tif 000005
【図４】
2008272675.tif 000006
【図５】
2008272675.tif 000007
【図６】
2008272675.tif 000008
【図７】
2008272675.tif 000009
【図８】
2008272675.tif 000010
【図９】
2008272675.tif 000011
【図１０】
2008272675.tif 000012
【図１１】
2008272675.tif 000013
【図１２】
2008272675.tif 000014
【図１３】
2008272675.tif 000015
【図１４】
2008272675.tif 000016